(57)【要約】  穂首の腰部の弾力が強く、まとまりの良い、安価に製造可能な筆の穂首及び筆を提供する。  中心層、芯毛層３１及び衣毛層４１の３層からなる筆の穂首１１であって、中心に位置する前記中心層は、中央部よりやや下寄りが下巻縛帯２６で固縛された剛毛を主体とした中心毛層２１からなり、前記芯毛層３１は、前記中心毛層２１の上に芯毛３３を覆い被せた状態で、その下部が中巻縛帯３４で固縛されてなり、前記衣毛層４１は、前記芯毛層３１の上に衣毛４３を覆い被せた状態で、その下部が下巻縛帯４４で固縛されてなる。
2014174705.tif 000002
【特許請求の範囲】
【請求項１】
少なくとも、芯毛の中間部、下部、又は中間部から下端のいずれか１の部分が固定手段により固められてなる芯毛層と、
前記芯毛層の上に衣毛を覆い被せてなる衣毛層と、
を備えることを特徴とする筆の穂首部材。
【請求項２】
さらに前記芯毛層の内側に中心層を有し、
中心に位置する前記中心層は、中間部、下部、又は中間部から下端のいずれか１の部分が固定手段により固められた剛毛を主体とした中心毛層からなり、
前記芯毛層に代え、芯毛層は、前記中心毛層の上に芯毛を覆い被せた状態で、その下部又は中間部が固縛体で固縛されてなることを特徴とする請求項１に記載の筆の穂首部材。
【請求項３】
前記固定手段が、接着剤、帯、紐、糸、リング状体のいずれか１種以上であり、前記固縛体が、帯、紐、糸のいずれか１種以上であることを特徴とする請求項２に記載の筆の穂首部材。
【請求項４】
前記中心層が、前記中心毛層に代え、ゴム材及び／又は可撓性を有する合成樹脂材で成形された成形体であることを特徴とする請求項２に記載の筆の穂首部材。
【請求項５】
前記成形体は、先端部に縦方向に多数の切れ込みが入れられ、先端部のみ毛のように形成されていることを特徴とする請求項４に記載の筆の穂首部材。
【請求項６】
請求項１から請求項５のいずれか１項に記載の筆の穂首部材を使用した芯毛層及び衣毛層を備える２層構造の筆の穂首、又は中心層、芯毛層及び衣毛層を備える３層構造の筆の穂首であって、
前記衣毛層が、前記芯毛層の上に衣毛を覆い被せた状態で、その下部又は中間部が固縛体で固縛されてなることを特徴とする筆の穂首。
【請求項７】
請求項２から請求項５のいずれか１項に記載の筆の穂首部材を使用した中心層、芯毛層及び衣毛層を備える３層構造の筆の穂首であって、
前記衣毛層は、前記芯毛層の上に衣毛を覆い被せた状態で、その下部又は中間部が固縛体で固縛されてなり、
前記固定手段、前記芯毛を固縛する前記固縛体、及び前記衣毛を固縛する前記固縛体の位置が異なっていることを特徴とする筆の穂首。
【請求項８】
穂首の根元部分の前記中心層、前記芯毛層、及び前記衣毛層の各層の面積が、中心層：芯毛層：衣毛層＝０．５〜２：６〜８：１〜３であることを特徴とする請求項７に記載の筆の穂首。
【請求項９】
前記衣毛層の固縛体が、間隔を開けて２つ取付けられていることを特徴とする請求項６から請求項８のいずれか１項に記載の筆の穂首。
【請求項１０】
請求項６から請求項９のいずれか１項に記載の筆の穂首と、
前記穂首を支持する筆軸と、を備える筆。
【発明の詳細な説明】
【技術分野】
【０００１】
本発明は、筆の穂首部材、筆の穂首及び筆に関する。
【背景技術】
【０００２】
書道筆には、種々の硬さの書道筆があるが、初心者には、一般的に硬質タッチの書道筆が好まれる。剛毛、兼毛（中剛毛）のような筆では、弾力の強い毛、粗い毛、細い毛、柔らかい毛等を、目的に合わせた弾力、質になるように組み合わせ使用される。従来、硬質タッチの書道筆の穂首には剛毛が使用されていた。穂首とは筆の毛の部分である。【０００３】
今日、良質の獣毛（動物毛）の剛毛は高価であり、このような毛を使用した書道筆は高価である。このため最近では、獣毛に代わり、プラスチック製の人工毛を使用した穂首の需要が高まっている。しかしながら人工毛は、獣毛が保有しているキュウティクルによる保温性がない又は保湿性が低く、現状、人工毛に依存した筆では、良好な書き易い書道筆は得られていない。また初心者に好まれる硬質タッチの書道筆として、獣毛と人工毛とを使用した書道筆が製造されているが、弾力の強さには限界があり、獣毛に頼らざるを得ない。【０００４】
一方で、筆の弾力を強くし安定したタッチを得るために穂首の外側下部（筆軸側）にフイルム状のテープを巻き付けた筆がある（例えば特許文献１参照）。また古くから穂首の中心部（内側）に位置する芯毛層を糸で締めその上から紙を巻き、さらにその上に衣毛を被せた巻筆がある。巻筆は、芯毛層に紙が巻き付けられているため穂首のうち動く部分が少なく、穂首が安定し易い。一方で穂首のうち動く部分が少ないため抑揚のある字を書くことができず、さらに墨液の含みが悪い。なお、本願発明に係る筆も含め現在製造されている筆の殆どは、巻筆とは製造方法が異なる筆であり水筆と呼ばれている。本明細書において、特に断らない限り筆は水筆を意味する。
【先行技術文献】
【特許文献】
【０００５】
【特許文献１】特開２００５−１９９４３５号公報
【発明の概要】
【発明が解決しようとする課題】
【０００６】
従来の一般的な書道筆の穂首は、穂首の中心部（内側）に位置する芯毛と芯毛を覆う衣毛とで構成されている。芯毛は、穂首の腰の強さと全体の調子を司り、衣毛は、芯毛の粗い毛のはみ出しを防ぎ、さらに半紙への馴染みや外観を装飾するなどの使命がある。このような穂首に対して特許文献１に記載の筆と同様に、衣毛の外側下部にテープを巻き付けても衣毛により締付力が吸収され、その効力には限界がある。このため初心者に歓迎される硬質タッチの書道筆を安価に製造することは容易ではない。これは書道筆以外の他の筆にも当てはまる課題である。【０００７】
本発明の目的は、穂首の腰部の弾力が強く、まとまりの良い、安価に製造可能な筆の穂首及び筆、さらにその筆の穂首及び筆の製造に好適な筆の穂首部材を提供することである。
【課題を解決するための手段】
【０００８】
本発明は、少なくとも、芯毛の中間部、下部、又は中間部から下端のいずれか１の部分が固定手段により固められてなる芯毛層と、前記芯毛層の上に衣毛を覆い被せてなる衣毛層と、を備えることを特徴とする筆の穂首部材である。【０００９】
芯毛層及び衣毛層からなる２層構造の筆において、穂首の腰部の弾力を強化するために芯毛に弾力の強い剛毛を多く使用するとまとまりが悪くなるが、本発明に係る筆の穂首部材では、芯毛層の中間部、下部、又は中間部から下端のいずれか１の部分が固定手段により固められてなるので、まとまりの悪い毛も結束されまとまりがよくなる。このため芯毛層に安価な剛毛を使用することができる。さらに芯毛層の中間部、下部、又は中間部から下端のいずれか１の部分が固定手段により固められているので杭効果、結束効果により穂首の腰部の弾力が強化され、さらに衣毛層の下部又は中間部を固縛体で固縛すれば穂首の腰部の弾力がより強化される。よって本発明に係る筆の穂首部材を使用することで腰の強い芯毛層及び衣毛層からなる２層構造の筆を安価に製造することができる。【００１０】
また本発明の筆の穂首部材は、さらに前記芯毛層の内側に中心層を有し、中心に位置する前記中心層は、中間部、下部、又は中間部から下端のいずれか１の部分が固定手段により固められた剛毛を主体とした中心毛層からなり、前記芯毛層に代え、芯毛層は、前記中心毛層の上に芯毛を覆い被せた状態で、その下部又は中間部が固縛体で固縛されてなることを特徴とする。【００１１】
中心毛層、芯毛層及び衣毛層からなる３層構造の筆においても、本発明に係る筆の穂首部材を使用すれば本発明に係る芯毛層及び衣毛層からなる２層構造の筆と同様に、中心毛層に安価な剛毛を使用することができるので腰の強い３層構造の筆を安価に製造することができる。特に本発明に係る筆の穂首部材の場合、中心毛層の周囲を芯毛層が覆うため中心毛がはみ出し難く、中心毛の選択肢が広がる。また中心毛層の下部等が固定手段により固められ、芯毛層の下部又は中間部が固縛体で固縛されてなるので結束効果がより発揮され、さらに衣毛層の下部又は中間部を固縛体で固縛することで穂首の腰部の弾力がより強化される。よって本発明に係る筆の穂首部材を使用することで腰の強い中心毛層、芯毛層及び衣毛層からなる３層構造の筆を安価に製造することができる。【００１２】
本発明の筆の穂首部材において、前記固定手段として接着剤、帯、紐、糸、リング状体のいずれか１種以上、前記固縛体として帯、紐、糸のいずれか１種以上を使用することができる。【００１３】
本発明によれば、各層の下部等を固定する手段として種々の固定部材を使用することができるので、筆の種類、用途等に応じて適したものを使用可能であり、所望の穂首を容易にまた安価に製造することができる。【００１４】
また本発明の筆の穂首部材において、前記中心層が、前記中心毛層に代え、ゴム材及び／又は可撓性を有する合成樹脂材で成形された成形体であってもよい。【００１５】
また本発明の筆の穂首部材において、前記成形体は、先端部に縦方向に多数の切れ込みが入れられ、先端部のみ毛のように形成されていることが好ましい。【００１６】
本発明によれば、筆の穂首部材に、剛毛を主体とした中心毛層からなる中心層に代え、ゴム材及び／又は可撓性を有する合成樹脂材で成形された成形体を使用することもできるので、腰部の弾力が強化された筆の穂首をより安価に製造することができる。【００１７】
また本発明は、前記筆の穂首部材を使用した芯毛層及び衣毛層を備える２層構造の筆の穂首、又は中心層、芯毛層及び衣毛層を備える３層構造の筆の穂首であって、前記衣毛層が、前記芯毛層の上に衣毛を覆い被せた状態で、その下部又は中間部が固縛体で固縛されてなることを特徴とする筆の穂首である。【００１８】
また本発明は、前記筆の穂首部材を使用した中心層、芯毛層及び衣毛層を備える３層構造の筆の穂首であって、前記衣毛層は、前記芯毛層の上に衣毛を覆い被せた状態で、その下部又は中間部が固縛体で固縛されてなり、前記固定手段、前記芯毛を固縛する前記固縛体、及び前記衣毛を固縛する前記固縛体の位置が異なっていることを特徴とする筆の穂首である。【００１９】
また本発明の筆の穂首において、穂首の根元部分の前記中心層、前記芯毛層、及び前記衣毛層の各層の面積が、中心層：芯毛層：衣毛層＝０．５〜２：６〜８：１〜３であることが好ましい。【００２０】
また本発明の筆の穂首において、前記衣毛層の固縛体を、間隔を開けて２つ取付けることができる。【００２１】
各層の下部等を固定する手段の位置、各層の大きさを適切に設定することで腰部の弾力が強化された、さらにまとまりのよい筆の穂首をより確実に製造することができる。また衣毛層の固縛体を２つ取付けることで装飾性に優れた穂首を得ることができる。【００２２】
また本発明は、前記筆の穂首と、前記穂首を支持する筆軸とを備える筆である。
【発明の効果】
【００２３】
本発明により腰部の弾力が強く、まとまりの良い筆の穂首を安価に製造可能であり、該筆の穂首を使用することで腰部の弾力が強く、まとまりの良い筆が容易に、また安価に得られる。また本発明に係る筆の穂首部材は、腰部の弾力が強く、まとまりの良い筆の穂首の製造に好適な部材である。
【図面の簡単な説明】
【００２４】
【図１】本発明の第１実施形態の書道筆１の要部斜視図である。
【図２】図１の書道筆１の穂首１１の斜視図である。
【図３】図１の書道筆１の穂首１１の構造を説明するための図であり、中心毛２３に下巻縛帯２６を固縛する前の状態を示す斜視図である。
【図４】図１の書道筆１の穂首１１の構造を説明するための図であり、中心毛２３に下巻縛帯２６を固縛した状態を示す斜視図である。
【図５】図１の書道筆１の穂首１１の構造を説明するための図であり、中心毛層２１に覆い被せた芯毛３３に中巻縛帯３４を固縛する前の状態を示す斜視図である。
【図６】図１の書道筆１の穂首１１の構造を説明するための図であり、芯毛層３１の外側を衣毛４３で覆う前の状態を示す斜視図である。
【図７】図１の書道筆１の穂首１１の構造を説明するための図であり、芯毛層３１に覆い被せた衣毛４３に上巻縛帯４４を固縛する前の状態を示す斜視図である。
【図８】本発明の第２実施形態の書道筆２の要部斜視図である。
【図９】図８の書道筆２の穂首１２の一部を構成する中心毛層２２を示す斜視図である。
【図１０】本発明の第３実施形態の書道筆３の要部斜視図である。
【図１１】図１０の書道筆３の穂首１３の一部を構成する成形体２８を示す斜視図である。
【図１２】本発明の第４実施形態の書道筆４の要部斜視図である。
【図１３】図１の書道筆１の変形例である書道筆５の要部斜視図である。
【発明を実施するための形態】
【００２５】
図１は、本発明の第１実施形態の書道筆１の要部斜視図である。図２は、図１の書道筆１の穂首１１の斜視図である。図３から図７は、書道筆１の穂首１１の構造を説明するための図であり、図３は、中心毛２３に下巻縛帯２６を固縛する前の状態を示し、図４は、中心毛２３に下巻縛帯２６を固縛した状態を示し、図５は、中心毛層２１に覆い被せた芯毛３３に中巻縛帯３４を固縛する前の状態を示し、図６は、芯毛層３１の外側を衣毛４３で覆う前の状態を示し、図７は、芯毛層３１に覆い被せた衣毛４３に上巻縛帯４４を固縛する前の状態を示す斜視図である。
【００２６】
以下、穂首１１の上とは、穂先側をいい、穂首１１の下とは、穂首１１の根元１８側を言う。穂先側は、穂首１１の先端部１６側である。穂首１１の腰部１７とは、穂首１１の全長を３等分したときの中心部を言い、穂首１１の先端部１６側から見て全長１／３〜２／３の領域を言う。また筆おろしの位置とは、新しい筆を使用するに際し、糊固めされた穂首１１のほぐす位置を言う。
【００２７】
書道筆１は、穂首１１と穂首１１を支持固定する筆軸６とを備える。筆軸６は、軸中心部に孔１０が設けられ、先端部７には、穂首１１の根元１８部分が嵌り込む凹部９が設けられている。穂首１１は、凹部９に嵌め込まれ、接着剤で固定されている。筆軸６は、従来から使用されている筆軸を使用することができ、穂首１１をしっかりと支持固定することができれば、固定方法は接着剤以外の方法であってもよい。また書道筆１の用途、目的に応じて筆軸６を適宜選択して使用してもよいことは当然である。
【００２８】
本書道筆１は、穂首１１の構造に特徴を有する。穂首１１は、従来の書道筆の穂首と構造が異なり、中心毛層２１、芯毛層３１及び衣毛層４１の三層構造からなる。
【００２９】
中心毛層２１は、穂首１１の中心部に位置し、剛毛を主体とした毛（中心毛）からなり、中心毛２３の中央部やや下寄りを縛帯（下巻縛帯）２６で固縛してなる。中心毛２３を下巻縛帯２６で固縛することで、杭効果、集束(結束)効果が発揮される。このような中心毛層２１を穂首１１の中心部に配置することで穂首１１の腰部１７の弾力が強化される。
【００３０】
また中心毛２３を下巻縛帯２６で固縛することで中心毛層２１の形状が整えられる。中心毛層２１に弾力の強い剛毛を使用した場合、剛毛の量が多くなるとまとまりが悪くなるが、本書道筆１は、中心毛２３の中央部やや下寄りが下巻縛帯２６で固縛されているので、まとまりの悪い毛も結束されまとまりがよくなる。
【００３１】
中心毛２３には、剛毛を主体とした毛が使用される。剛毛とは、硬い毛であり、馬の尾毛、豚の毛、鹿の毛が例示される。但し、馬の尾毛、豚の毛、鹿の毛等の獣毛（動物毛）は、生育環境、産地、年齢等によりその弾力が異なるので、弾力を確認して使用する必要がある。中心毛２３は、１種類の毛を使用しても２種類以上の毛を混合した毛（混毛）を使用してもよい。混毛するとき、２種以上の獣毛を使用しても、獣毛と人工毛とを混毛してもよい。筆に使用される獣毛には、通常、羊、馬、イタチ、鹿、猫、狸、豚、犬の毛などが利用され、人工毛には、ナイロンなど合成樹脂からなる毛が利用される。
【００３２】
中心毛層２１の高さ（長さ）は、穂首１１の根元１８を起点に、穂首１１の先端部１６に向って穂首１１の全長の約６０〜７０％が好ましい。但し、この高さに限定されるものではない。
【００３３】
中心毛層２１の形状は、基本的には穂首１１の形状に合わせるが、中心毛層２１の形状を穂首１１の形状と異なる形状とすることで機能に変化を持たせ、特徴ある書道筆とすることもできる。
【００３４】
中心毛２３を固縛する下巻縛帯２６には、耐水性を有する粘着剤付テープ、特に粘着剤付極薄テープを好適に使用することができる。粘着剤付テープには、幅が２〜５ｍｍ程度のものを使用すればよく、テープの厚さは薄いものが好ましく、伸縮性を有するテープがより好ましい。好ましい粘着剤付テープの厚さを例示すれば、０．０７ｍｍ程度である。このほかテープ状の下巻縛帯２６に代え、紐、糸、合成樹脂製リング、ゴム輪など弾力性を有するリングを固縛体として使用することができる。
【００３５】
第１実施形態の書道筆１では、穂首１１の長さに比べ長さの短い中心毛２３を使用しているため下巻縛帯２６の位置を中心毛２３の中央部やや下寄りとしているが、下巻縛帯２６の固縛位置は、ここに限定されるものではない。下巻縛帯２６の固縛位置は、中心毛２３の長さ、書道筆１の用途等に応じて適宜決定すればよく、中間部、下部とすることもできる。書道筆１を墨液に浸たしたときに、穂首１１の中心毛層２１まで墨液が浸透するが、墨液の含水量は、下巻縛帯２６の位置により異なる。下巻縛帯２６の位置を下げる(筆軸５側に寄せる)ことにより墨液の含みは良くなる。一方、下巻縛帯２６の位置を上げると、墨液の含みは少なくなるが、穂首１１の弾力が強まり、まとまりも向上する。
【００３６】
一般的に、筆おろしの位置は、初心者の場合、太筆で穂首の約２／３、細筆では約１／３と言われている。よって初心者用の太筆の書道筆１の場合、下巻縛帯２６の位置を穂首の先端部１６を基準に穂首１１の約２／３の位置とすれば、弾力が強く扱い易い書道筆１となる。一方、上級者用の書道筆１は、下巻縛帯２６の位置を下げ墨液の含みをよくすることで使い易い書道筆となる。なお下巻縛帯２６の位置は、芯毛層３１を固縛する中巻縛帯３４、及び衣毛層４１を固縛する上巻縛帯４４の位置とも関係する。この点については後述する。
【００３７】
芯毛層３１は、中心毛層２１を覆う部位であり、中心毛層２１及び衣毛層４１に比較してボリュームも大きく、書道筆１全体の調子を決める。なお、穂首１１の最先端は芯毛層３１である。芯毛層３１で使用される毛（芯毛）３３は毛質の異なる毛、全長の違う毛を必要寸法にカットして、組み合わせ混毛して、目的に合った形状、弾力に調整し使用される。芯毛３３としては、通常、羊毛、馬の胴毛、馬の尾毛、鹿、狸、イタチ、豚、犬などの動物毛、ナイロン毛、合成樹脂毛などの人工毛が使用される。
【００３８】
芯毛３３は、中心毛層２１を覆った状態で、芯毛３３の下部が縛帯（中巻縛帯）３４で固縛されている。中巻縛帯３４は、下巻縛帯２６よりも下方（筆軸５側）に取付けられる。このとき中巻縛帯３４と下巻縛帯２６とが部分的に重なり合うように取付けることが好ましい。芯毛層３１も中心毛層２１と同様に、芯毛３３を中巻縛帯３４で固縛することで穂首１１の腰部１７の弾力が強化される。
【００３９】
芯毛３３を固縛する中巻縛帯３４には、下巻縛帯２６と同様に、耐水性を有する粘着剤付極薄テープを好適に使用することができる。粘着剤付極薄テープには、幅が２〜５ｍｍ程度のものを使用すればよく、テープの厚さは薄いものが好ましい。好ましい粘着剤付テープの厚さを例示すれば、０．０７ｍｍ程度である。中巻縛帯３４と下巻縛帯２６とで幅及び／又は厚さが異なっていても、さらには使用するテープの種類が異なっていてもよい。このほかテープ状の中巻縛帯３４に代え、紐、糸を使用することができる。さらに合成樹脂製リング、ゴム輪など弾力性を有するリングを固縛体として使用することもできる。
【００４０】
中巻縛帯３４に幅広のテープを使用することは好ましくない。中心毛層２１を被った芯毛層３１は、根元１８から穂先１６に向って細くなる先細形状となっており、芯毛層３１は、長手方向に傾斜している。このような芯毛層３１に幅広テープを巻き付けると、テープの下辺側は、芯毛層３１にしっかりと巻き付くが、テープの上辺側は芯毛層３１との間に隙間ができる。このため幅広のテープを使用しても上辺は有効に使用されず無駄となる。この点に関しては、衣毛層４１を固縛するテープも同じである。
【００４１】
衣毛層４１は、芯毛層３１を覆う部位であり、芯毛３３のはみ出しを防ぎ、半紙への馴染みや外観を装飾するなどの役目を担う。但し、衣毛層４１は、芯毛層３１よりも僅かに短く、穂首１１の最先端は芯毛層３１が突出している。衣毛層４１を構成する毛（衣毛）４３は、芯毛層３１を覆った状態で、衣毛４３の下部が縛帯（上巻縛帯）４４で固縛されている。上巻縛帯４４は、中巻縛帯３４よりも下方（筆軸５側）に取付けられる。このとき上巻縛帯４４と中巻縛帯３４とが部分的に重なり合うように取付けることが好ましい。
【００４２】
衣毛４３を固縛する上巻縛帯４４には、下巻縛帯２６と同様に、耐水性を有する粘着剤付極薄テープを好適に使用することができる。粘着剤付極薄テープには、幅が２〜５ｍｍ程度のものを使用すればよく、テープの厚さは薄いものが好ましい。好ましい粘着剤付テープの厚さを例示すれば、０．０７ｍｍ程度である。上巻縛帯４４と下巻縛帯２６又は上巻縛帯４４と中巻縛帯３４とで幅及び／又は厚さが異なっていても、さらには使用するテープの種類が異なっていてもよい。このほかテープ状の上巻縛帯４４に代え、紐、糸を使用することができる。さらに合成樹脂製リング、ゴム輪など弾力性を有するリングを固縛体として使用することもできる。
【００４３】
上巻縛帯４４は、下巻縛帯２６、又は中巻縛帯３４と同様に、穂首１１の腰部１７の弾力を強化する役目を担う。上巻縛帯４４は、他の縛帯と異なり見える。このため上巻縛帯４４は、書道筆１の用途等により意匠性に優れる縛帯を使用してもよい。さらには上巻縛帯４４に糸を使用し、糸をぐるぐる巻きにしてもよい。
【００４４】
本書道筆１における下巻縛帯２６、中巻縛帯３４及び上巻縛帯４４の取付け要領とその作用効果について説明する。下巻縛帯２６、中巻縛帯３４及び上巻縛帯４４を互いが部分的に重なり合うように取付けることが好ましい理由は次の通りである。本実施形態の書道筆１の場合、筆おろしが可能な最大長さは、最も穂先１６側に位置する下巻縛帯２６の位置までである。一方で、本書道筆１を使用する者は、下巻縛帯２６を視認することができないため、上巻縛帯４４の位置を参考に筆おろしをすることが予測される。上巻縛帯４４と下巻縛帯２６との位置が大きく異なった状態では、上巻縛帯４４の位置近くまで筆おろしをしようとしても下巻縛帯２６がじゃまとなり筆おろしを行うことができない。無理に筆おろしをすると、下巻縛帯２６及び中巻縛帯３４が損傷し、その結果、穂首１１も損傷する。
【００４５】
これに対して下巻縛帯２６、中巻縛帯３４及び上巻縛帯４４を互いが部分的に重なり合うように取付けると、下巻縛帯２６の位置と上巻縛帯４４との位置がほぼ同じ位置となるので、上記問題を解消することができる。これに関連し、各縛帯も幅の狭いものを使用すると、下巻縛帯２６と上巻縛帯４４との位置のずれが少なくなるので好ましい。下巻縛帯２６、中巻縛帯３４及び上巻縛帯４４を同じ位置に取付けてもよいが、外観上、縛帯を取付けた部分が大きく膨れ変形する恐れがあるので、注意が必要である。
【００４６】
なお上記実施形態では、穂先１６側を基準に下巻縛帯２６、中巻縛帯３４、上巻縛帯４４の順に並んでいるが、その順を逆にし、穂先１６側を基準に上巻縛帯４４、中巻縛帯３４、下巻縛帯２６の順としてもよい。穂先１６側を基準に上巻縛帯４４、中巻縛帯３４、下巻縛帯２６の順とした場合、最も穂先１６側に位置する上巻縛帯４４の位置まで筆おろしが可能となる。このとき上巻縛帯４４を視認することができるため穂首１１を痛めることなく筆おろしができる。
【００４７】
穂先１６側を基準に上巻縛帯４４、中巻縛帯３４、下巻縛帯２６の順とすると、穂先１６側を基準に下巻縛帯２６、中巻縛帯３４、上巻縛帯４４の順とした場合に比較して、下巻縛帯２６の位置が根元１８側となる。下巻縛帯２６の位置が極端に根元１８側となると中心毛２３のまとまりが悪くなり、また穂首１１の腰部１７の弾力が弱くなる。よって穂先１６側を基準に上巻縛帯４４、中巻縛帯３４、下巻縛帯２６の順とした場合も、下巻縛帯２６の位置が極端に根元１８側とならないようにし、下巻縛帯２６、中巻縛帯３４及び上巻縛帯４４を互いが部分的に重なり合うように取付けることが好ましい。
【００４８】
細筆の場合、筆おろしの位置が約１／３と言われていることからも分かるように、小筆、細筆の場合、主として穂首の上部を使用する。一方、太筆の場合、筆おろしの位置は約２／３と言われており、穂首の下部まで使用される。このため穂首１１に対する下巻縛帯２６、中巻縛帯３４及び上巻縛帯４４の位置は、筆（穂首）の大きさにより異なり、小筆、細筆ほど縛帯の位置が穂先１６寄りとなる。
【００４９】
以上のことから下巻縛帯２６、中巻縛帯３４及び上巻縛帯４４の取付け位置は、一般的に、小筆、細筆の場合、穂先１６側を基準に穂首１１の大凡２０〜７０％の範囲内、太筆の場合、穂先１６側を基準に穂首１１の大凡５０〜９０％の範囲内となろう。
【００５０】
太筆の場合、下巻縛帯２６、中巻縛帯３４及び上巻縛帯４４は、穂首１１の根元１８に近い位置に取付けられる場合もあるが、下巻縛帯２６、中巻縛帯３４及び上巻縛帯４４は、筆軸６の凹部９内となるほど穂首１１の下部には取付けない。また書道筆１は、芯毛層３１を衣毛４３で覆った状態で穂首１１の根元１８を糸１９で締め、筆軸６の凹部９に穂首１１を嵌め込み、接着剤で固定した後、穂首１１を糊固めし、最後に上巻縛帯４４を固縛するため上巻縛帯４４が、筆軸の凹部９内に位置することはない。
【００５１】
また上巻縛帯４４は、筆軸６に接しないように取付けることが好ましい。上巻縛帯４４の下辺と筆軸６の先端８との間隔を設けることで、上巻縛帯４４と筆軸６の先端８との間に位置する毛が乾き易くなり、毛の劣化や腐食を防ぐことができる。
【００５２】
以上のように構成される穂首１１は、中心毛層２１及び芯毛層３１を構成する中心毛２３及び芯毛３３が、下巻縛帯２６及び中巻縛帯３４で固縛され、形状が整えられているので、衣毛４３による芯毛層４１の被覆も容易に行うことができる。また中心毛層２１及び芯毛層３１の形状が整えられているので、中心毛層２１及び芯毛層３１からの太い毛あるいは粗い毛のはみ出しも殆どなく、従来の書道筆に比較し、高価な衣毛層４１の肉厚を薄くすることができる。
【００５３】
中心毛層２１、芯毛層３１、及び衣毛層４１の肉厚は、特に限定されないが、穂首の根元１８の中心毛層２１、芯毛層３１、及び衣毛層４１の面積を、中心毛層：芯毛層：衣毛層＝０．５〜２：６〜８：１〜３とすることが好ましい。例えば、中心毛層：芯毛層：衣毛層の穂首の根元１８部分の面積比を１：３：１とすると、中心毛層の直径（外径）が５ｍｍφの場合、芯毛層３１の外径は１０ｍｍφ、衣毛層４１の外径は１１．２ｍｍφとなる。各層の肉厚を変えることで、筆の調子が変化する。
【００５４】
三層構造の穂首であっても、衣毛層４１の上から上巻縛帯４４により固縛しただけでは、穂首１１の弾力を増強させる効果は限定的である。これに対して本書道筆１は、各毛層毎に、縛帯を用いて固縛するので固縛力が高まり、腰部１７の弾力が強い穂首１１が得られる。
【００５５】
従来の書道筆は、芯毛層と衣毛層との２層構造であるため、弾力の強さを調整する芯毛において粗い毛や太い毛の混入率が高くなると、はみ出し毛が出たり、穂首のまとまりも悪くなる問題があった。これに対して本発明の第１実施形態の書道筆１では、穂首１１の中心部に中心毛層２１を設け、ここに剛毛を集中させ、中心毛層２１の中央部やや下よりを下巻縛帯２６で固縛する。このため中心毛２３に太い毛、粗い毛を使用しても、これらは穂首１１の中心部に結束した状態で存在し、毛のはみ出しが防止され、まとまりも良くなる。このため中心毛２３には、安価な獣毛等を使用することができる。
【００５６】
太筆の場合や大きな文字を書くときは、穂首１１の中央部に力が加わるなど、腰部１７の強さを求められる穂首１１において、中心毛層２１の効用は大きく、本書道筆１のような構成を採用することで、弾力を求められる中心毛層２１の毛を全て人工毛とすることも可能である。なお、各層の毛量や毛の種類も要望に合わせて選択可能なことは当然である。書道筆の用途によっては、中心毛層２１の形状もずんぐり型、スマート型、先細型、さらに寸法も短寸型、長寸型と変えれば筆の調子に変化がもたらされる。
【００５７】
以上のように中心毛層２１を、芯毛層３１及び衣毛層４１で覆う３層構造の穂首１１を採用することで、穂首１１全体の弾力が増強され、さらには穂首１１の形状がまとまり易く、文字を書くときに重要な腰部１７の弾力の安定感も得られる。本書道筆１は、穂首１１のまとまりが良くなるので従来の書道筆に比較して書き味がよく、さらに硬質タッチの書道筆も容易にかつ安価に製造することができる。
【００５８】
さらに本書道筆１は、以下のような長所も有する。従来の書道筆の場合、使用すると筆軸６の先端８に墨溜りができる。筆軸６の先端８に墨溜りができると、筆を洗い難く、さらに腐り易くなる。これに対して本書道筆１は、衣毛層４１の下部であって筆軸６の先端８から間隔を設けて上巻縛帯４４が取付けられているので、使用するときに筆軸６の先端８に墨溜りはできず、墨溜りは、上巻縛帯４４の上辺側にできる。このため書道筆１を洗い易く、さらに書道筆１が腐り難くなる。
【００５９】
図８は、本発明の第２実施形態の書道筆２の要部斜視図である。図９は、書道筆２の穂首１２の一部を構成する中心毛層２２を示す斜視図である。第１実施形態の書道筆１と同一の構成には、同一の符号を付して説明を省略する。
【００６０】
第２実施形態の書道筆２と第１実施形態の書道筆１とは、穂首を構成する中心毛層を固める要領を除き同一である。よって中心毛層２２を構成する中心毛２３の種類、中心毛層２２の形状、大きさ等は、第１実施形態の書道筆１の中心毛層２１と同様に考えればよい。また第２実施形態の書道筆２と第１実施形態の書道筆１の作用、効果も基本的に同じである。
【００６１】
第１実施形態の書道筆１では、中心毛２３の中央部やや下寄りを下巻縛帯２６で固縛することで中心毛層２１が形成されているが、第２実施形態の書道筆２では、中心毛２３の中央部から下端部まで接着剤２７で固めることで中心毛層２２が形成されている。
【００６２】
接着剤２７は、耐水性を有し、獣毛、人工毛などからなる中心毛２３を接着させることができればよく、特定の接着剤に限定されるものではない。中心毛２３の種類に応じて、接着剤２７の種類を変更してもよいことは当然である。
【００６３】
中心毛２３の中央部から下端部までを接着剤２７で固める方法は、特に限定されるものではないが、中心毛２３を型にセットし、穂先１６を上にして、中心毛２３の下端から中央部までを接着剤２７に浸漬し固めてもよい。このとき接着剤２７として溶融樹脂を使用してもよい。さらには接着剤２７と下巻縛帯２６とを併用してもよい。これにより中心毛２３の下部をしっかりと固めることができる。
【００６４】
第２実施形態の書道筆２では、中心毛２３の中央部から下端部まで接着剤２７で固められているが、第１実施形態の書道筆１の下巻縛帯２６と同じ位置を接着剤２７で固めてもよい。
【００６５】
中心毛２３を接着剤２７で接着し、中心毛２３を結束する方法は、下巻縛帯２６を用いて結束する方法に比較して、操作が簡単であり、中心毛２３を結束する時間を短縮することができる。このため書道筆２の生産性が向上し、コストダウンを図ることができる。
【００６６】
図１０は、本発明の第３実施形態の書道筆３の要部斜視図である。図１１は、書道筆３の穂首１３の一部を構成する成形体２８を示す斜視図である。第１実施形態の書道筆１と同一の構成には、同一の符号を付して説明を省略する。
【００６７】
第１実施形態の書道筆１では、中心毛２３の中央部やや下寄りを下巻縛帯２６で固縛した中心毛層２１が、穂首１１の中心に中心層として配置されているが、第３実施形態の書道筆３では、弾力のあるゴム材及び／又は可撓性を有する合成樹脂材からなる成形体２８が、中心層として穂首１３の中心に配置されている。この部分を除き、第３実施形態の書道筆３と第１実施形態の書道筆１とは、同じ構成からなる。
【００６８】
穂首１３の成形体２８は、弾力のあるゴム材及び／又は可撓性を有する合成樹脂材を使用し、第１及び第２実施形態の中心毛層２１、２２と同じ外観形状に成形された円錐形の成形体である。このとき成形体２８の弾力を、第１及び第２実施形態の中心毛層２１、２２の弾力と同じ又はほぼ同じとする。なお成形体２８の形状、大きさ等は、第１実施形態の書道筆１の中心毛層２１と同様に考えればよい。成形体２８の製造方法は、特定の方法に限定されるものではなく、金属型にゴム剤、溶融状態のエラストマー又は樹脂を充填する方法など公知の方法により容易に製造することができる。
【００６９】
成形体２８は、先端部側に全長の２０％程度の長さの多数の切れ込み２９を設け、先端部側を毛のようにするのが好ましい。
【００７０】
ゴム材及び／又は可撓性を有する合成樹脂材を使用して形成した成形体２８を穂首１３の中心層とする方法は、剛毛の整列や、目的に合った種々の剛毛を混毛する必要がないため製造が容易である。成形機を使用すれば成形体２８の量産化も容易であり、書道筆３を低コストで製造することができる。
【００７１】
図１２は、本発明の第４実施形態の書道筆４の要部斜視図である。第１実施形態の書道筆１と同一の構成には、同一の符号を付して説明を省略する。
【００７２】
第１〜第３実施形態では、３層構造の書道筆１、２、３を示したが、第４実施形態の書道筆４は、穂首１４が芯毛層３２と衣毛層４１との２層構造である。
【００７３】
芯毛層３２は、第１実施形態の書道筆１の中心毛層２１と芯毛層３１との２つの機能を備え、芯毛３３の下部又は中間部が中巻縛帯３４で固縛されてなる。このような芯毛層３２は、第１実施形態の書道筆１の芯毛層３１と比較して剛毛が多く、第１実施形態に示す中心毛２３と芯毛３３とを混毛して形成することが可能である。芯毛層３２を構成する芯毛３３を調整するとき、中心部に剛毛をより多く配置すれば、剛毛がはみだし難くなり好ましい。中巻縛帯３４の種類、取付け要領は、第１実施形態の下巻縛帯２６と同様に考えることができる。なお、第１実施形態の書道筆１と同様に、テープ状の中巻縛帯３４に代え、紐、糸、さらに合成樹脂製リング、ゴム輪など弾力性を有するリングを固縛体として使用してもよい。
【００７４】
第４実施形態の書道筆４の穂首１４は、中心毛層を備えない、芯毛層３２と衣毛層４１との２層構造であるため芯毛層３２で使用する剛毛がはみ出し易くなるが、中心毛層を必要としない分、容易に又安価に製造することができる。
【００７５】
芯毛層と衣毛層とからなる筆の穂首は、従来から存在するが、第４実施形態の書道筆４の穂首１４は、従来の穂首と異なり、芯毛３３の下部又は中間部を中巻縛帯３４で固縛し芯毛層３２を形成する。このような芯毛層３２は、毛のはみ出しが防止され、まとまりも良いため芯毛３３に安価な剛毛を使用することができる。また芯毛３３の下部又は中間部が中巻縛帯３４で固縛され、さらに衣毛層４１も下部又は中間部が上巻縛帯４４で固縛されているので、従来の芯毛層と衣毛層とからなる筆の穂首に比較して、腰部１７の弾力に優れる。
【００７６】
第４実施形態の書道筆４では、芯毛３３の下部又は中間部を中巻縛帯３４で固縛しているが、縛帯で固縛する方法に代え、第２実施形態の書道筆２と同様に、芯毛３３の中央部から下端部までを接着剤２７で固める方法、中巻縛帯３４と同じ位置を接着剤２７で固める方法を採用してもよい。
【００７７】
以上、第１、第２、第３及び第４実施形態を用いて、異なる穂首１１、１２、１３、１４を備える書道筆１、２、３、４を説明したが、各書道筆１、２、３、４には、それぞれ特徴がある。書道専門家や愛好家、上級者等が使用する書道筆において、剛毛が寄与する効果は大きい。このため書道専門家や愛好家、上級者等が使用する書道筆においては、第１、第２形態の中心毛層２１、２２を備える書道筆１、２が好ましい。一方、第３実施形態の穂首の中心にゴム材等の成形体２８を用いる書道筆３、さらには中心毛層を有しない２層構造の書道筆４は、剛毛を主体とする中心毛層を使用する第１、第２実施形態の書道筆１、２に比較して弾力及び機能は劣るが、従来の書道筆に比較すると十分な弾力を有しており、安価に製造可能なため初心者用や学生用の書道筆に適している。
【００７８】
第１、第２及び第３実施形態を用いて説明したように本発明に係る書道筆は、中心部に弾力の強い中心毛層、又は成形体を設け、その上を芯毛で被い下部又は中間部を縛帯で固縛し、さらに衣毛で被い同様に縛帯で固縛する構成を採用する。あるいは第４実施形態を用いて説明したように本発明に係る書道筆は、芯毛の下部又は中間部を縛帯で固縛し、さらに衣毛で被い同様に縛帯で固縛する構成を採用する。このように本発明に係る書道筆は、各毛層を固縛、固定しているので、穂首の弾力強化が容易であり、穂首のまとまりがよく、ユーザーの要望に合った書道筆を安価に製作することができる。
【００７９】
なお上記実施形態では、書道筆について説明したが、本発明に係る筆は、書道筆以外の筆にも適用することができる。例えば、毛で作られる毛筆類、日本画用筆、洋画筆、化粧筆、工芸筆、工業用筆、アニメ画用筆などにも適用することができる。また穂首の形状も特定の形状に限定されるものではない。また筆には、金具に穂首を挿通させた金具を有する筆、例えば画筆があるが、そのような筆においても本発明に係る穂首を使用することができる。
【００８０】
本発明の３層構造の筆、又は本発明の２層の筆を製造する際の代表的な手順は、次の通りである。
【００８１】
上記の筆の穂首１１、１２、１３、１４において、まず中心層を覆った芯毛層３１を衣毛４３で覆った状態、又は芯毛層３２を衣毛４３で覆った状態で穂首１１、１２、１３、１４の根元１８を糸１９で締め、筆軸６の先端部７に設けられた凹部９に穂首１１、１２、１３、１４を嵌め込み、接着剤で固定する。その後、穂首１１、１２、１３、１４を糊固めし、最後に上巻縛帯４４を固縛する。金具を使用する筆の場合、中心層を覆った芯毛層３１を衣毛４３で覆った状態、又は芯毛層３２を衣毛４３で覆った状態で穂首１１、１２、１３、１４の根元１８を糸１９で仮締めし、これを金具に挿通し、接着剤で接着する。その後、金具を筆軸６に取付け、穂首１１、１２、１３、１４を糊固めした後に上巻縛帯４４を固縛する。
【００８２】
以上のように上巻縛帯４４は、穂首１１、１２、１３、１４が筆軸６に固定された後に取付けられるため、中心層を覆った芯毛層３１に衣毛４３を覆い被せた状態、又は芯毛層３２に衣毛４３を覆い被せた状態で、あるいは中心層を覆った芯毛層３１に衣毛４３を覆い被せ、又は芯毛層３２に衣毛４３を覆い被せ、さらに穂首１１、１２、１３、１４の根元１８を糸１９で締め、必要に応じて糊付け後乾燥した状態で、上巻縛帯４４を取付けることなく取引される場合がある。そのような穂首部材は、本発明の筆の穂首部材に含まれる。
【００８３】
なお本発明に係る筆は、上記実施形態に限定されるものではなく、要旨を変更しない範囲で変更して使用することができる。図１３は、図１の書道筆１の変形例である書道筆５の要部斜視図である。図１の書道筆１と同一の構成には、同一の符号を付して説明を省略する。
【００８４】
書道筆５と書道筆１との違いは、上巻縛帯が１つであるか２つであるかであり、他の構成は同一である。書道筆５は、上巻縛帯４４の下側に間隔を開けさらにもう一つ上巻縛帯４５が取付けられている。上側に位置する上巻縛帯４４は、筆軸６の先端８から比較的離れた位置に取付けられており、上巻縛帯４４と筆軸６の先端８との間が殺風景である。上巻縛帯４４の下側にさらにもう一つ上巻縛帯４５を設けることでアクセントを持たせデザイン性を高める。
【００８５】
上巻縛帯４５の主たる機能は、デザイン性の向上であるためデザイン性に優れる上巻縛帯４５が好ましい。デザイン性に優れる上巻縛帯４５としては、絵、模様が描かれたテープ、色彩が付されたテープ等が例示される。上巻縛帯４４と上巻縛帯４５との形状、種類が異なっていてもよく、例えば上巻縛帯４５として糸を巻いてもよい。
【００８６】
上巻縛帯４４と筆軸６の先端８との間のデザイン性を高める方法として、巻筆のように紙又はテープをぐるぐる巻き付ける方法、あるいは上巻縛帯４４に幅広のテープを使用する方法も考えられるが好ましくない。上巻縛帯４４と筆軸６の先端８との間を、巻筆のように紙又はテープをぐるぐる巻き付け覆ってしまうと、その部分の毛が乾き難く、毛が損傷し易くなる。このため上巻縛帯４４の下側にもう一つ上巻縛帯４５を取付ける場合も間隔を開けて取付けることが好ましい。なお上巻縛帯４５を取付けることで穂首の腰部１７もわずかながら強化される。
【００８７】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００８８】
１、２、３、４、５  書道筆
６  筆軸
７  筆軸の先端部
１１、１２、１３、１４  穂首
１６  穂首の先端部（穂先）
１７  穂首の腰部
１８  穂首の根元
２１、２２  中心毛層
２３  中心毛
２６  下巻縛帯
２７  接着剤
２８  成形体
２９  切れ込み
３１、３２  芯毛層
３３  芯毛
３４  中巻縛帯
４１  衣毛層
４３  衣毛
４４、４５  上巻縛帯
【図１】
2014174705.tif 000003
【図２】
2014174705.tif 000004
【図３】
2014174705.tif 000005
【図４】
2014174705.tif 000006
【図５】
2014174705.tif 000007
【図６】
2014174705.tif 000008
【図７】
2014174705.tif 000009
【図８】
2014174705.tif 000010
【図９】
2014174705.tif 000011
【図１０】
2014174705.tif 000012
【図１１】
2014174705.tif 000013
【図１２】
2014174705.tif 000014
【図１３】
2014174705.tif 000015
【国際調査報告】
2014174705.tif 000016
2014174705.tif 000017
2014174705.tif 000018
2014174705.tif 000019
2014174705.tif 000020